(57)【要約】【課題】ヒートポンプの稼働率を高めて、ヒートポンプをより有効に活用することができる貯湯式給湯装置を提供する。【解決手段】コントローラ７０は、三方弁３２を空調ユニット接続状態とし、四方弁４６を第１送出状態とし、タンク循環ポンプ３１と第２膨張弁５３をＯＦＦ状態として、圧縮機４１、第１膨張弁４２、室外ファン４５、及び室内ファン５５をＯＮ状態とすることにより、室内熱交換器５４により室内を暖房する暖房運転を実行する。【選択図】  図３
2014196887.tif 000002
【特許請求の範囲】
【請求項１】
貯湯タンクと、両端が該貯湯タンクに連通したタンク循環路とを有する貯湯ユニットと、
前記貯湯タンク内の湯水を前記タンク循環路を介して循環させるタンク循環ポンプと、冷媒が封入された冷媒循環回路と、該冷媒循環回路の途中に設けられて該冷媒循環回路を流通する冷媒を圧縮する圧縮機と、該冷媒循環回路の途中に設けられて該冷媒循環回路を流通する冷媒を膨張させる第１膨張弁と、前記冷媒循環回路の前記圧縮機と前記第１膨張弁との間に設けられて前記タンク循環路に接続され、前記冷媒循環回路を流通する冷媒と前記タンク循環路を流通する湯水との間で熱交換を行うタンク熱交換器と、室外において前記冷媒循環回路の前記圧縮機と前記第１膨張弁との間の前記タンク熱交換器が設けられていない側に設けられて、前記冷媒循環回路を流通する冷媒と外気との間で熱交換を行う室外熱交換器とを有するヒートポンプユニットと、
両端が前記冷媒循環回路の前記タンク熱交換器と前記第１膨張弁との間の異なる箇所に連通して、冷媒が封入された空調冷媒循環路と、室内において該空調冷媒循環路の途中に設けられ、該空調冷媒循環路を流通する冷媒と室内の空気との間で熱交換を行う室内熱交換器とを有する空調ユニットと、
前記冷媒循環回路と前記空調冷媒循環路間の冷媒の流通が可能であると共に、前記冷媒循環回路の前記空調冷媒循環路の両端との接続箇所間の冷媒の流通が不能である空調ユニット接続状態と、前記冷媒循環回路と前記空調冷媒循環路間の冷媒の流通が不能であると共に、前記冷媒循環回路の前記空調冷媒循環路との接続箇所間の冷媒の流通が可能である空調ユニット非接続状態とを切替える空調ユニット接続切替部と、
前記空調ユニット接続切替部を前記空調ユニット非接続状態として、前記タンク循環ポンプと前記圧縮機と前記第１膨張弁とを作動させることにより、前記タンク熱交換器によって前記貯湯タンク内の湯水を加熱する単独蓄熱運転と、前記空調ユニット接続切替部を前記空調ユニット接続状態とすると共に、前記タンク循環ポンプを停止状態とし、前記圧縮機と前記第１膨張弁を作動させて、前記室外熱交換器と前記室内熱交換器による熱交換を行なうことにより、室内を暖房する暖房運転とを実行する制御部と
を備えたことを特徴とする貯湯式給湯装置。
【請求項２】
請求項１に記載の貯湯式給湯装置において、
前記空調冷媒循環路の前記冷媒循環回路との前記タンク熱交換器側の接続部と前記室内熱交換器との間の箇所に設けられて、前記空調冷媒循環路を流通する冷媒を膨張させる第２膨張弁を備え、
前記制御部は、前記空調ユニット接続切替部を前記空調ユニット接続状態とし、前記タンク循環ポンプと前記圧縮機と前記第２膨張弁とを作動させて、前記タンク熱交換器と前記室内熱交換器による熱交換を行うことにより、前記貯湯タンク内の湯水を加熱と室内の冷房を行う蓄熱冷房運転を実行することを特徴とする貯湯式給湯装置。
【請求項３】
請求項１又は請求項２に記載の貯湯式給湯装置において、
前記圧縮機で圧縮された冷媒を前記タンク熱交換器側に送出する第１送出状態と、前記圧縮機で圧縮された冷媒を前記室外熱交換器側に送出する第２送出状態とを切替える送出先切替部を備え、
前記制御部は、前記空調ユニット接続切替部を前記空調ユニット接続状態にすると共に、前記送出先切替部を前記第２送出状態として、前記タンク循環ポンプを停止状態とし、前記圧縮機及び前記第１膨張弁を作動させて、前記室外熱交換器と前記室内熱交換器による熱交換を行うことにより、室内を冷房する単独冷房運転を実行することを特徴とする貯湯式給湯装置。
【請求項４】
請求項１から請求項３のうちのいずれか１項に記載の貯湯式給湯装置において、
前記貯湯タンクに接続されて前記貯湯タンク内に貯められた湯水が供給される出湯管の途中に設けられ、該出湯管を流通する湯水を加熱する補助熱源機を備え、
前記制御部は、前記出湯管から目標給湯温度の湯を出湯する給湯運転を実行し、前記貯湯タンクから前記出湯管に供給される湯から目標給湯温度の湯を得ることができないときに、前記補助熱源機を作動させることを特徴とする貯湯式給湯装置。
【発明の詳細な説明】
【技術分野】
【０００１】
本発明は、貯湯タンク内の湯水をヒートポンプにより加熱する貯湯式給湯装置に関する。
【背景技術】
【０００２】
従来より、貯湯タンクに貯められた湯水を、ヒートポンプにより外気から汲み上げた熱によって加熱するようにした貯湯式給湯装置が知られている（例えば、特許文献１参照）。特許文献１に記載された貯湯式給湯装置においては、ヒートポンプは専ら貯湯タンク内の湯水の加熱に用いられている。
【先行技術文献】
【特許文献】
【０００３】
【特許文献１】特許第３８６７５４７号公報
【発明の概要】
【発明が解決しようとする課題】
【０００４】
貯湯式給湯装置においては、ヒートポンプが稼動するのは貯湯タンク内の湯がなくなって（いわゆる湯切れ状態）、貯湯タンク内の水を所定温度まで沸かし上げるときのみである。そして、貯湯タンク内の水の沸かし上げは、日中に比べて電気料金が安くなる深夜時間帯に行われるのが一般的であるため、特に日中におけるヒートポンプの稼働率が低くなり、効率の良いヒートポンプの活用が不十分であった。
【０００５】
本発明は上記背景に鑑みてなされたものであり、ヒートポンプの稼働率を高めて、ヒートポンプをより有効に活用することができる貯湯式給湯装置を提供することを目的とする。
【課題を解決するための手段】
【０００６】
本発明は上記目的を達成するためになされたものであり、本発明の貯湯式給湯装置は、
貯湯タンクと、両端が該貯湯タンクに連通したタンク循環路とを有する貯湯ユニットと、
前記貯湯タンク内の湯水を前記タンク循環路を介して循環させるタンク循環ポンプと、冷媒が封入された冷媒循環回路と、該冷媒循環回路の途中に設けられて該冷媒循環回路を流通する冷媒を圧縮する圧縮機と、該冷媒循環回路の途中に設けられて該冷媒循環回路を流通する冷媒を膨張させる第１膨張弁と、前記冷媒循環回路の前記圧縮機と前記第１膨張弁との間に設けられて前記タンク循環路に接続され、前記冷媒循環回路を流通する冷媒と前記タンク循環路を流通する湯水との間で熱交換を行うタンク熱交換器と、室外において前記冷媒循環回路の前記圧縮機と前記第１膨張弁との間の前記タンク熱交換器が設けられていない側に設けられて、前記冷媒循環回路を流通する冷媒と外気との間で熱交換を行う室外熱交換器とを有するヒートポンプユニットと、
両端が前記冷媒循環回路の前記タンク熱交換器と前記第１膨張弁との間の異なる箇所に連通して、冷媒が封入された空調冷媒循環路と、室内において該空調冷媒循環路の途中に設けられ、該空調冷媒循環路を流通する冷媒と室内の空気との間で熱交換を行う室内熱交換器とを有する空調ユニットと、
前記冷媒循環回路と前記空調冷媒循環路間の冷媒の流通が可能であると共に、前記冷媒循環回路の前記空調冷媒循環路の両端との接続箇所間の冷媒の流通が不能である空調ユニット接続状態と、前記冷媒循環回路と前記空調冷媒循環路間の冷媒の流通が不能であると共に、前記冷媒循環回路の前記空調冷媒循環路との接続箇所間の冷媒の流通が可能である空調ユニット非接続状態とを切替える空調ユニット接続切替部と、
前記空調ユニット接続切替部を前記空調ユニット非接続状態として、前記タンク循環ポンプと前記圧縮機と前記第１膨張弁とを作動させることにより、前記タンク熱交換器によって前記貯湯タンク内の湯水を加熱する単独蓄熱運転と、前記空調ユニット接続切替部を前記空調ユニット接続状態とすると共に、前記タンク循環ポンプを停止状態とし、前記圧縮機と前記第１膨張弁を作動させて、前記室外熱交換器と前記室内熱交換器による熱交換を行なうことにより、室内を暖房する暖房運転とを実行する制御部とを備えたことを特徴とする。
【０００７】
かかる本発明によれば、前記空調ユニットと前記空調ユニット接続切替部を備えることにより、前記圧縮機で高圧・高温とされた冷媒を前記冷媒循環回路から前記空調冷媒循環路に流通させることができる。そのため、前記制御部は、前記単独蓄熱運転を実行していないときに前記暖房運転を実行することができ、これにより、前記ヒートポンプユニットの稼働率を上げて、前記ヒートポンプユニットのヒートポンプ機能をより有効に活用することができる。
【０００８】
なお、本発明における貯湯ユニットとヒートポンプユニットと空調ユニットの区分けは機能的なものであり、必ずしも同一の筐体内に配置されて区分けされることを意味するものではない。例えば、前記タンク循環ポンプについて、前記圧縮機や前記冷媒循環回路が収容された筐体内に前記タンク循環ポンプが配置される実施形態の他に、前記貯湯タンクが収容された筐体内に前記タンク循環ポンプが配置される実施形態も含むものである。また、前記タンク循環ポンプの停止状態には、前記タンク循環ポンプが完全に停止した状態に維持される場合の他に、前記タンク熱交換器における湯水と冷媒との間の熱交換が実質的に行われない程度に、前記タンク循環ポンプを間欠的に作動させる場合も含まれる。
【０００９】
また、前記空調冷媒循環路の前記冷媒循環回路との前記タンク熱交換器側の接続部と前記室内熱交換器との間の箇所に設けられて、前記空調冷媒循環路を流通する冷媒を膨張させる第２膨張弁を備え、
前記制御部は、前記空調ユニット接続切替部を前記空調ユニット接続状態とし、前記タンク循環ポンプと前記圧縮機と前記第２膨張弁とを作動させて、前記タンク熱交換器と前記室内熱交換器による熱交換を行うことにより、前記貯湯タンク内の湯水を加熱と室内の冷房を行う蓄熱冷房運転を実行することが好ましい。
【００１０】
この構成によれば、前記第２膨張弁を備えて、前記制御部により前記蓄熱冷房運転を実行することにより、前記ヒートポンプユニットを利用して、前記室内熱交換器により室内の熱を汲み上げて室内を冷房すると共に、室内の熱を利用して前記貯湯タンク内の湯水を効率良く加熱することができる。
【００１１】
また、前記圧縮機で圧縮された冷媒を前記タンク熱交換器側に送出する第１送出状態と、前記圧縮機で圧縮された冷媒を前記室外熱交換器側に送出する第２送出状態とを切替える送出先切替部を備え、
前記制御部は、前記空調ユニット接続切替部を前記空調ユニット接続状態にすると共に、前記送出先切替部を前記第２送出状態として、前記タンク循環ポンプを停止状態とし、前記圧縮機及び前記第１膨張弁を作動させて、前記室外熱交換器と前記室内熱交換器による熱交換を行うことにより、室内を冷房する単独冷房運転を実行することが好ましい。
【００１２】
この構成によれば、前記送出先切替部を備えて、前記制御部により前記単独冷房運転を実行することにより、前記貯湯タンク内の湯の沸かし上げが不要なときにも、前記ヒートポンプユニットを利用して前記室内熱交換器により室内を冷房することができる。そのため、前記ヒートポンプユニットの稼働率を上げて、前記ヒートポンプユニットのヒートポンプ機能をより有効に活用することができる。
【００１３】
また、前記貯湯タンクに接続されて前記貯湯タンク内に貯められた湯水が供給される出湯管の途中に設けられ、該出湯管を流通する湯水を加熱する補助熱源機を備え、
前記制御部は、前記出湯管から目標給湯温度の湯を出湯する給湯運転を実行し、前記貯湯タンクから前記出湯管に供給される湯から目標給湯温度の湯を得ることができないときに、前記補助熱源機を作動させることが好ましい。
【００１４】
この構成によれば、前記制御部は、前記貯湯タンクが湯切れ状態であるときにも、前記補助熱源機を作動させることによって前記給湯運転を継続することができる。そのため、前記貯湯タンクが湯切れ状態であるときに、前記貯湯タンク内の湯水の沸かし上げよりも、室内の空調を優先させて、前記ヒートポンプユニットにより室内の暖房運転及び単独冷房運転を実行しつつ、前記補助熱源機を作動させて前記給湯運転を実行することができる。
【図面の簡単な説明】
【００１５】
【図１】貯湯式給湯装置の構成図（単独蓄熱運転実行時の作動状態の説明図）。
【図２】暖房運転時の作動状態の説明図。
【図３】蓄熱冷房運転時の作動状態の説明図。
【図４】単独冷房運転時の作動状態の説明図。
【発明を実施するための形態】
【００１６】
本発明の実施形態について、図１〜図４を参照して説明する。図１を参照して、本実施形態の貯湯式給湯装置１は、貯湯ユニット１０、ヒートポンプユニット３０、空調ユニット５０、及びコントローラ７０を備えて構成されている。コントローラ７０には、貯湯式給湯装置１を遠隔操作するためのリモコン７５が接続されている。
【００１７】
貯湯ユニット１０は、貯湯タンク１１、給水管１３、出湯管１４、出湯管１４の途中に設けられた補助熱源機２０等を備えている。貯湯タンク１１は内部に湯水を保温して貯める。給水管１３は、一端が水道に接続され、他端が貯湯タンク１１の下部に接続されて、貯湯タンク１１内の下部に水を供給する。
【００１８】
給水管１３から分岐した給水バイパス管１５は、給湯混合弁１６を介して出湯管１４に連通しており、給湯混合弁１６により、貯湯タンク１１から出湯管１４に供給される湯水と給水バイパス管１５から出湯管１４に供給される水との混合比が変更される。
【００１９】
出湯管１４は、一端に出湯栓９０（カラン等）が接続され、他端が貯湯タンク１１の上部に接続されている。貯湯タンク１１の上部に貯められた湯水は、出湯管１４から出湯栓９０に供給される。補助熱源機２０をバイパスして出湯管１４の上流側と下流側の出湯管１４を連通する出湯バイパス管１８には、出湯バイパス管１８を開閉する出湯バイパス弁１７が設けられている。
【００２０】
補助熱源機２０は、出湯管１４の途中に設けられた給湯熱交換器２１と、バーナ２２と、出湯管１４を開閉する出湯開閉弁２３とを備えている。バーナ２２の燃焼排気により給湯熱交換器２１を流通する湯水が加熱される。また、貯湯タンク１１の上部と下部に接続されたタンク循環路１２が設けられている。
【００２１】
次に、ヒートポンプユニット３０は屋外に設置され、冷媒（例えば、ハイドロフルオロカーボン（ＨＦＣ）等の代替フロン、二酸化炭素等）が封入された冷媒循環回路４０により接続された圧縮機４１、第１膨張弁４２、タンク熱交換器４３、室外熱交換器４４、四方弁４６（本発明の送出先切替部に相当する）、及び三方弁３２（本発明の空調ユニット接続切替部に相当する）を備えている。
【００２２】
室外熱交換器４４は、室外ファン４５の回転により供給される空気（外気）と、冷媒循環回路４０内を流通する冷媒との間で熱交換を行う。圧縮機４１は冷媒を圧縮して高温・高圧とする。第１膨張弁４２は、圧縮機４１で加圧された冷媒の圧力を開放する。
【００２３】
タンク熱交換器４３はタンク循環路１２と接続され、タンク循環路１２内を流通する湯水と冷媒循環回路４０を流通する冷媒との間で熱交換を行う。タンク循環路１２には、貯湯タンク１１内の湯水をタンク循環路１２を介して循環させるためのタンク循環ポンプ３１が設けられている。
【００２４】
四方弁４６は、四つのポートａ〜ｄを有し、ポートｂ，ｃ間とポートａ，ｄ間が連通した第１送出状態（図１の状態）と、ポートａ，ｂ間とポートｃ，ｄ間が連通した第２送出状態（後述する図４の状態）とを切替える。
【００２５】
三方弁３２は、三つのポートｅ，ｆ，ｇを有し、ポートｅ，ｆ間が連通してポートｅ，ｇ及びポートｆ，ｇ間が遮断された空調ユニット非接続状態（図１の状態）と、ポートｅ，ｇ間が連通してポートｅ，ｆ及びポートｆ，ｇ間が遮断された空調ユニット接続状態（後述する図２，３，４の状態）とを切替える。
【００２６】
次に、空調ユニット５０は、一端が三方弁３２のポートｇに接続されると共に、他端が冷媒循環回路４０の三方弁３２のポートｆと第１膨張弁４２との間の箇所（一端の接続箇所とは異なる箇所）に接続された空調冷媒循環路５１と、室内に設置されて空調冷媒循環路５１の途中に接続された室内熱交換器５４と、空調冷媒循環路５１の室内熱交換器５４と三方弁３２のポートｇとの間に接続された第２膨張弁５３を備えている。
【００２７】
室内熱交換器５４は、室内ファン５５の回転により供給される空気（室内の空気）と、空調冷媒循環路５１を流通する冷媒との間で熱交換を行う。第２膨張弁５３は、第１膨張弁４２と同様に、圧縮機４１で加圧された冷媒の圧力を開放する。
【００２８】
コントローラ７０は、図示しないＣＰＵ，メモリ，各種インターフェース回路等により構成された電子回路ユニットであり、メモリに保持された貯湯式給湯装置１の制御用プログラムをＣＰＵで実行することによって、貯湯式給湯装置１の作動を制御する機能を果す。
【００２９】
コントローラ７０は、リモコン７５による操作指示に従って、「単独蓄熱運転」、「暖房運転」、「蓄熱冷房運転」、及び「単独冷房運転」という４種類の運転を実行する。なお、このように、コントローラ７０が４種類の運転を実行する構成は、本発明の制御部に相当する。以下、コントローラ７０による４種類の運転の実行手順について説明する。
【００３０】
なお、以下でタンク循環ポンプ３１をＯＦＦ状態（停止状態）にするとは、タンク循環ポンプ３１を停止若しくは間欠動作状態として、タンク熱交換器４３における湯水と冷媒間の熱交換が実質的に行われない状態にすることを意味する。また、膨張弁（第１膨張弁４２、第２膨張弁５３）をＯＦＦ状態（停止状態）にするとは、膨張弁が冷媒を膨張して低圧・低温とする機能を果さない状態にすることを意味する。
【００３１】
［１．単独蓄熱運転］
図１を参照して、単独蓄熱運転の実行手順について説明する。コントローラ７０は、図１に示したように、四方弁４６を第１送出状態として、圧縮機４１により高圧・高温とされた冷媒が四方弁４６のポートｂ，ｃを経由してタンク熱交換器４３側に送出される状態にする。また、コントローラ７０は、三方弁３２を空調ユニット非接続状態として、室内ファン５５と第２膨張弁５３をＯＦＦ状態（停止状態）にする。
【００３２】
この状態で、コントローラ７０は、圧縮機４１、室外ファン４５、第１膨張弁４２、及びタンク循環ポンプ３１をＯＮ状態（作動状態）とする。これにより、貯湯タンク１１内の湯水がタンク循環路１２を介して循環する。また、圧縮機４１で高圧・高温にされた冷媒が、圧縮機４１→四方弁４６（ポートｂ→ｃ）→タンク熱交換器４３→三方弁３２（ポートｅ→ｆ）→第１膨張弁４２→室外熱交換器４４→四方弁４６（ポートａ→ｄ）→圧縮機４１の順で、冷媒循環回路４０内を循環する。
【００３３】
その結果、タンク熱交換器４３において、タンク循環路１２を流通する湯水が冷媒循環回路４０内を流通する冷媒との間の熱交換により所定の沸かし上げ温度まで加熱されて、貯湯タンク１１の上部に戻される。これにより、沸かし上げ温度の湯水が、貯湯タンク１１の上部から順次積層して貯められる。
【００３４】
なお、コントローラ７０は、給水管１３又は出湯管１４に設けられた水量センサ（図示しない）によって、出湯栓９０が開栓されたことを検知したときに、出湯栓９０から目標給湯温度（リモコン７５により設定される）の湯が供給されるように制御をする給湯運転を実行する。
【００３５】
コントローラ７０は、貯湯タンク１１の湯切れ（貯湯タンク１１内の湯を使い切った状態）が生じていないときは、出湯バイパス弁１７を開弁状態とすると共に出湯開閉弁２３を閉弁状態とし、出湯栓９０が開けられたときに、出湯栓９０から目標給湯温度（リモコン７５により設定される）の湯が供給されるように、給湯混合弁１６による混合比を調節して給湯運転を実行する。
【００３６】
また、貯湯タンク１１の湯切れが生じているときには、コントローラ７０は、出湯バイパス弁１７を閉弁状態とすると共に出湯開閉弁２３を開弁状態とし、出湯栓９０が開けられたときに、出湯栓９０から目標給湯温度の湯が供給されるように、バーナ２２の燃焼量を調節して給湯運転を実行する。
【００３７】
［２．暖房運転］
次に、図２を参照して、暖房運転の実行手順について説明する。コントローラ７０は、図２に示したように、四方弁４６を第１送出状態として、圧縮機４１により高圧・高温とされた冷媒が四方弁４６のポートｂ，ｃを経由してタンク熱交換器４３側に送出される状態にする。また、コントローラ７０は、三方弁３２を空調ユニット接続状態として、第２膨張弁５３とタンク循環ポンプ３１をＯＦＦ状態（停止状態）にする。
【００３８】
この状態で、コントローラ７０は、圧縮機４１、第１膨張弁４２、室外ファン４５、及び室内ファン５５をＯＮ状態（作動状態）とする。これにより、圧縮機４１で高圧・高温とされた冷媒が、圧縮機４１→四方弁４６（ポートｂ→ｃ）→タンク熱交換器４３→三方弁３２（ポートｅ→ｇ）→第２膨張弁（ＯＦＦ状態）→室内熱交換器５４→第１膨張弁４２（ＯＮ状態）→室外熱交換器４４→四方弁４６（ポートａ→ｄ）→圧縮機４１の順で、冷媒循環回路４０内を循環する。
【００３９】
その結果、室内熱交換器５４において、室内ファン５５により供給される室内の空気が室内熱交換器５４を流通する冷媒により加熱されて、室内が暖房される。
【００４０】
［３．蓄熱冷房運転］
次に、図３を参照して、蓄熱冷房運転の実行手順について説明する。コントローラ７０は、図３に示したように、四方弁４６を第１送出状態として、圧縮機４１により加圧された冷媒が四方弁４６を経由してタンク熱交換器４３側に送出される状態にする。また、コントローラ７０は、三方弁３２を空調ユニット接続状態として、第１膨張弁４２と室外ファン４５をＯＦＦ状態（停止状態）にする。
【００４１】
この状態で、コントローラ７０は、圧縮機４１、第２膨張弁５３、室内ファン５５、及びタンク循環ポンプ３１をＯＮ状態（作動状態）とする。これにより、貯湯タンク１１内の湯水がタンク循環路１２を介して循環する。また、圧縮機４１で高圧・高温とされた冷媒が、圧縮機４１→四方弁４６（ポートｂ→ｃ）→タンク熱交換器４３→三方弁３２（ポートｅ→ｇ）→第２膨張弁５３（ＯＮ状態）→室内熱交換器５４→第１膨張弁４２（ＯＦＦ状態）→室外熱交換器４４（室外ファン４５はＯＦＦ状態）→四方弁４６（ポートａ→ｄ）→圧縮機４１の順で、冷媒循環回路４０及び空調冷媒循環路５１内を循環する。
【００４２】
その結果、タンク熱交換器４３において、タンク循環路１２を流通する湯水が冷媒循環回路４０内を流通する冷媒との間の熱交換により所定の沸かし上げ温度まで加熱されて、貯湯タンク１１の上部に戻される。これにより、沸かし上げ温度の湯水が、貯湯タンク１１の上部から順次積層して貯められる。
【００４３】
また、室内熱交換器５４において、室内ファン５５により吸入された室内の空気が、第２膨張弁５３により降圧・低温とされた冷媒により冷却されて、室内が冷房される。この場合は、室内の熱（冷房排熱）を回収して貯湯タンク１１内の湯水の沸かし上げに有効に利用することができる。
【００４４】
［４．単独冷房運転］
次に、図４を参照して、単独冷房運転の実行手順について説明する。コントローラ７０は、図４に示したように、四方弁４６を第２送出状態として、圧縮機４１により高圧・高温とされた冷媒が四方弁４６のポートｂ，ａを経由して室外熱交換器４４側に送出される状態にする。また、コントローラ７０は、三方弁３２を空調ユニット接続状態として、第２膨張弁５３とタンク循環ポンプ３１をＯＦＦ状態（停止状態）にする。
【００４５】
この状態で、コントローラ７０は、圧縮機４１、第１膨張弁４２、室外ファン４５、及び室内ファン５５をＯＮ状態（作動状態）とする。これにより、圧縮機４１で高圧・高温にされた冷媒が、圧縮機４１→四方弁４６（ポートｂ→ａ）→室外熱交換器４４→第１膨張弁４２（ＯＮ状態）→室内熱交換器５４→第２膨張弁５３（ＯＦＦ状態）→三方弁３２（ポートｇ→ｅ）→タンク熱交換器４３（タンク循環ポンプ３１はＯＦＦ状態）→四方弁４６（ポートｃ→ｄ）→圧縮機４１の順で、冷媒循環回路４０及び空調冷媒循環路５１内を循環する。
【００４６】
その結果、室内熱交換器５４において、室内ファン５５により吸入された室内の空気が、第１膨張弁４２で降圧・低温とされた冷媒により冷却されて室内が冷房される。
【００４７】
なお、暖房運転及び単独冷房運転が実行されているときに、貯湯タンク１１の湯切れが生じたときには、ヒートポンプユニット３０により貯湯タンク１１内の湯水を加熱（沸かし上げ）することができないが、この場合、コントローラ７０は、上述したように、補助熱源機２０を作動させて給湯運転を行なうことができる。
【００４８】
また、本実施形態においては、四方弁４６を備えることによって、単独冷房運転を可能にしたが、単独冷房運転を実行しない場合は四方弁４６は不要である。
【００４９】
また、本実施形態においては、第２膨張弁５３を備えることによって、蓄熱冷房運転を可能にしたが、蓄熱冷房運転を実行しない場合は第２膨張弁５３は不要である。
【００５０】
また、本実施形態においては、補助熱源機２０を備えることによって、貯湯タンク１１の湯切れが生じたときにも、給湯運転を継続できるようにしたが、補助熱源機２０を備えない場合であっても本発明の効果を得ることができる。
【００５１】
また、本実施形態では、本発明の空調ユニット接続切替部として三方弁３２を用いたが、冷媒循環回路４０と空調冷媒循環路５１との接続と遮断を切替えることができる他の構成を用いてもよい。
【００５２】
また、本実施形態では、本発明の送出先切替部として四方弁４６を用いたが、圧縮機４１で高圧・高温とされた冷媒の送出方向をタンク熱交換器４３側と室外熱交換器４４側とに切替えることができる他の構成を用いてもよい。
【符号の説明】
【００５３】
１…貯湯式給湯装置、１０…貯湯ユニット、１１…貯湯タンク、１２…タンク循環路、１３…給水管、１４…出湯管、２０…補助熱源機、３０…ヒートポンプユニット、３１…タンク循環ポンプ、３２…三方弁、４０…冷媒循環回路、４１…圧縮機、４２…第１膨張弁、４３…タンク熱交換器、４４…室外熱交換器、４６…四方弁、５０…空調ユニット、５１…空調冷媒循環路、５３…第２膨張弁、５４…室内熱交換器、７０…コントローラ。
【図１】
2014196887.tif 000003
【図４】
2014196887.tif 000004
【図２】
2014196887.tif 000005
【図３】
2014196887.tif 000006